(57)【要約】【課題】脂肪族ポリエステル樹脂及び芳香族ポリカーボネート樹脂を含有する熱可塑性樹脂の、耐衝撃性及び耐熱性を向上させる熱可塑性樹脂組成物を提供する。【解決手段】脂肪族ポリエステル樹脂（Ａ１）、芳香族ポリカーボネート樹脂（Ａ２）、ガラス転移温度が０〜１５０℃の範囲であり、グリシジル（メタ）アクリレート単位を５質量％以上含有する重合体（Ｂ）及び、ゴム質重合体の存在下でビニル単量体を重合して得られるグラフト共重合体（Ｃ）を含有し、下記条件（１）〜（３）を満足する熱可塑性樹脂組成物。  （１）：（Ａ１）／（Ａ２）の質量比が、１５／８５〜８５／１５。  （２）：（Ｂ）の含有量が、（Ａ１）と（Ａ２）の合計１００質量部に対して０．０１〜３０質量部。  （３）：（Ｃ）の含有量が、（Ａ１）と（Ａ２）の合計１００質量部に対して１〜２５質量部。【選択図】なし【特許請求の範囲】
【請求項１】
脂肪族ポリエステル樹脂（Ａ１）、
芳香族ポリカーボネート樹脂（Ａ２）、
ガラス転移温度が０〜１５０℃の範囲であり、グリシジル（メタ）アクリレート単位を５質量％以上含有する重合体（Ｂ）及び、
ゴム質重合体の存在下でビニル単量体を重合して得られるグラフト共重合体（Ｃ）を含有し、下記条件（１）〜（３）を満足する熱可塑性樹脂組成物。
（１）：（Ａ１）／（Ａ２）の質量比が、１５／８５〜８５／１５。
（２）：（Ｂ）の含有量が、（Ａ１）と（Ａ２）の合計１００質量部に対して０．０１〜３０質量部。
（３）：（Ｃ）の含有量が、（Ａ１）と（Ａ２）の合計１００質量部に対して１〜２５質量部。
【請求項２】
脂肪族ポリエステル樹脂がポリ乳酸である、請求項１に記載の熱可塑性樹脂組成物。
【請求項３】
請求項１又は２に記載の熱可塑性樹脂組成物を成形して得られる成形体。
【発明の詳細な説明】
【技術分野】
【０００１】
本発明は、脂肪族ポリエステル樹脂及び芳香族ポリカーボネート樹脂を含有する熱可塑性樹脂の、耐衝撃性及び耐熱性を向上させる熱可塑性樹脂組成物、及び該熱可塑性樹脂組成物を成形して得られる成形体に関する。
【背景技術】
【０００２】
近年、廃棄物処理の問題から、汎用樹脂として生分解性樹脂を用いることが注目されている。生分解性樹脂は土壌中で徐々に崩壊及び分解が進行し、最終的には微生物の作用により無害な分解物となることが知られている。
現在、実用化が検討されている生分解性樹脂は、ポリ乳酸等の脂肪族ポリエステル、天然素材系のバイオセルロース、澱粉主体のプラスチック、変性ＰＶＡ（ポリビニルアルコール）、酢酸セルロース等のセルロースエステル化合物、及びこれらのブレンド物に大別される。
【０００３】
ポリ乳酸は、トウモロコシ等の非石油系原料を用いて合成される植物由来の樹脂である。これまで、石油系樹脂材料が用いられてきた分野での非石油系樹脂材料への置換えにも対応できるため、近年注目されている。
ポリ乳酸の耐熱性及び機械的特性を改良するために、ポリ乳酸に芳香族ポリカーボネート樹脂を配合する方法が提案されている（特許文献１）。この方法では、ポリ乳酸と芳香族ポリカーボネート樹脂との比率が１０〜５０／９０〜５０（質量部）の範囲で耐熱性が向上しているが、耐衝撃性が著しく低いという課題を有する。
【０００４】
ポリ乳酸と芳香族ポリカーボネート樹脂からなる熱可塑性樹脂組成物の耐衝撃性を向上させるため、耐衝撃性向上剤を配合する方法が提案されている（特許文献２）。この方法では、熱可塑性樹脂組成物の耐衝撃性及び耐熱性が向上しているが、検討されているのは、ポリ乳酸の含有率が１３質量％未満の熱可塑性樹脂組成物のみである。ポリ乳酸を１５質量％以上含有する熱可塑性樹脂組成物の、耐衝撃性及び耐熱性の向上は十分ではない。
【０００５】
また、ポリ乳酸と芳香族ポリカーボネート樹脂からなる熱可塑性樹脂組成物の耐衝撃性を向上させるため、エポキシ樹脂及びエラストマーを配合する方法が提案されている（特許文献３）。この方法では、熱可塑性樹脂組成物の耐衝撃性が向上しているが、耐熱性の向上は十分ではない。
【特許文献１】特開平７−１０９４１３号公報
【特許文献２】特開２００５−４８０６７号公報
【特許文献３】特開２００６−２８２９９号公報
【発明の開示】
【発明が解決しようとする課題】
【０００６】
本発明の目的は、脂肪族ポリエステル樹脂及び芳香族ポリカーボネート樹脂を含有する熱可塑性樹脂の、耐衝撃性及び耐熱性を向上させる熱可塑性樹脂組成物、及びそれを成形して得られる成形体を提供することにある。
【課題を解決するための手段】
【０００７】
本発明者らは鋭意検討した結果、グリシジル（メタ）アクリレート単位を５質量％以上含有する重合体と、ゴム質重合体の存在下でビニル単量体を重合して得られるグラフト共重合体を配合することにより、脂肪族ポリエステル樹脂及び芳香族ポリカーボネート樹脂を含有する熱可塑性樹脂の、耐衝撃性及び耐熱性を向上させることが可能であることを見出した。
【０００８】
即ち、本発明の熱可塑性樹脂組成物は、脂肪族ポリエステル樹脂（Ａ１）、芳香族ポリカーボネート樹脂（Ａ２）、ガラス転移温度が０〜１５０℃の範囲であり、グリシジル（メタ）アクリレート単位を５質量％以上含有する重合体（Ｂ）及び、ゴム質重合体の存在下でビニル単量体を重合して得られるグラフト共重合体（Ｃ）を含有し、下記条件（１）〜（３）を満足する。
（１）：（Ａ１）／（Ａ２）の質量比が、１５／８５〜８５／１５。
（２）：（Ｂ）の含有量が、（Ａ１）と（Ａ２）の合計１００質量部に対して０．０１〜３０質量部。
（３）：（Ｃ）の含有量が、（Ａ１）と（Ａ２）の合計１００質量部に対して１〜２５質量部。
脂肪族ポリエステル樹脂は、ポリ乳酸であることが好ましい。
本発明の成形体は、前記の熱可塑性樹脂組成物を成形して得られる。
【発明の効果】
【０００９】
本発明の熱可塑性樹脂組成物は、脂肪族ポリエステル樹脂及び芳香族ポリカーボネート樹脂を含有する熱可塑性樹脂の、耐衝撃性及び耐熱性を向上させることができる。
本発明の成形体は、脂肪族ポリエステル樹脂及び芳香族ポリカーボネート樹脂を含有する熱可塑性樹脂本来の特性を有し、耐衝撃性及び耐熱性に優れる。
【発明を実施するための最良の形態】
【００１０】
本発明の脂肪族ポリエステル樹脂（Ａ１）としては、ヒドロキシカルボン酸の重合体を用いることができ、例えば、ポリ乳酸、ポリグリコール酸、ポリヒドロキシ酪酸、ポリヒドロキシ吉草酸、ポリヒドロキシカプロン酸が挙げられる。
脂肪族ポリエステル樹脂（Ａ１）は、１種を単独で用いてもよく、２種以上を併用してもよい。これらの中では、耐熱性及び機械的特性に優れた成形体が得られることから、ポリ乳酸が好ましい。
【００１１】
ポリ乳酸としては、乳酸の単独重合体、乳酸及び乳酸と共重合可能なその他の単量体との共重合体、又は、これらの混合物を用いることができる。
ポリ乳酸におけるＬ乳酸単位、Ｄ乳酸単位の構成モル比（Ｌ／Ｄ）は、１００／０〜０／１００のいずれであっても良いが、１００／０〜２０／８０であることが好ましく、１００／０〜５０／５０であることがより好ましい。
ポリ乳酸の分子量は特に限定されないが、質量平均分子量５万〜５０万が好ましく、１０万〜３０万がより好ましい。
【００１２】
本発明の芳香族ポリカーボネート樹脂（Ａ２）としては、公知の方法で製造されたものを用いることができる。
芳香族ポリカーボネート樹脂が、２，２−ビス（４−ヒドロキシフェニル）プロパン系ポリカーボネートである場合、その製造方法としては、例えば、２，２−ビス（４−ヒドロキシフェニル）プロパンを原料として用い、アルカリ水溶液及び溶剤の存在下にホスゲンを吹き込んで反応させる方法、２，２−ビス（４−ヒドロキシフェニル）プロパンと炭酸ジエステルとを、触媒の存在下にエステル交換させる方法が挙げられる。
【００１３】
本発明の熱可塑性樹脂組成物は、脂肪族ポリエステル樹脂（Ａ１）と芳香族ポリカーボネート樹脂（Ａ２）を、（Ａ１）／（Ａ２）＝１５／８５〜８５／１５の質量比（質量％）で含有する。ここで、（Ａ１）と（Ａ２）の合計は１００質量％である。
熱可塑性樹脂組成物は、（Ａ１）／（Ａ２）＝３０／７０〜７０／３０の質量比（（Ａ１）と（Ａ２）の合計が１００質量％）で含有することが好ましい。
【００１４】
熱可塑性樹脂組成物中の（Ａ１）と（Ａ２）の質量比が、（Ａ１）／（Ａ２）＝１５／８５〜８５／１５の範囲内であれば、成形体の耐衝撃性及び耐熱性が良好となる。
【００１５】
本発明の重合体（Ｂ）は、ガラス転移温度（以下、「Ｔｇ」という。）が０〜１５０℃の範囲である。
本発明におけるＴｇとは、下記式１の、Ｆｏｘの式から計算される共重合体のＴｇである。
式１：  １／Ｔｇ＝Σ（Ｗｉ／Ｔｇｉ）
（但し、Ｗｉは単量体ｉの全単量体に対する質量比率、Ｔｇｉは単量体ｉの単独重合体のＴｇを示す。）
単独重合体のＴｇの数値としては、ＰＯＬＹＭＥＲ  ＨＡＮＤＢＯＯＫ  ＴＨＩＲＤ  ＥＤＩＴＩＯＮ（ＷＩＬＥＹ  ＩＮＴＥＲＳＣＩＥＮＣＥ）に記載の数値を用いることができる。
【００１６】
重合体（Ｂ）のＴｇが、０℃以上であれば、取扱い性（重合体（Ｂ）の耐ブロッキング性、耐融着性）が良好となり、１５０℃以下であれば、熱可塑性樹脂（Ａ）と配合する際の、溶融速度を高めることができる。
取扱い性と溶融速度の観点から、重合体（Ｂ）のＴｇは３０℃以上が好ましく、９０℃以下が好ましい。
【００１７】
重合体（Ｂ）は、グリシジル（メタ）アクリレート単位を５質量％以上含有する。
重合体（Ｂ）中のグリシジル（メタ）アクリレート単位の含有率が、５質量％以上であれば、重合体（Ｂ）の配合量を低くすることができる。これにより、熱可塑性樹脂（Ａ）との相溶性の制御が容易になり、熱可塑性樹脂組成物の耐衝撃性及び耐熱性の発現が良好となる。
重合体（Ｂ）中の、グリシジル（メタ）アクリレート単位の含有率は２０質量％以上が好ましい。
【００１８】
グリシジル（メタ）アクリレート単位を構成する、グリシジル（メタ）アクリレートは、グリシジルアクリレート又はグリシジルメタクリレートである。グリシジル（メタ）アクリレートは、１種を単独で用いてもよく、２種を併用してもよい。
尚、本発明において、（メタ）アクリレートとは、アクリレート又はメタクリレートを意味し、（メタ）アクリルとは、アクリル又はメタクリルを意味する。
【００１９】
重合体（Ｂ）は、グリシジル（メタ）アクリレート単位以外の、その他の単量体単位を含有することができる。
その他の単量体単位を構成する、その他の単量体としては、例えば、メチル（メタ）アクリレート、エチル（メタ）アクリレート、プロピル（メタ）アクリレート、ブチル（メタ）アクリレート、２−エチルヘキシル（メタ）アクリレート等のアルキル（メタ）アクリレート；シクロヘキシル（メタ）アクリレート；フェニル（メタ）アクリレート；スチレン、α−メチルスチレン、ビニルトルエン等の芳香族ビニル単量体；（メタ）アクリロニトリルが挙げられる。
その他の単量体は、１種を単独で用いてもよく、２種以上を併用してもよい。これらの中では、メチルメタクリレートが好ましい。
【００２０】
重合体（Ｂ）中の、その他の単量体単位の含有率は９５質量％以下である。
重合体（Ｂ）中の、その他の単量体単位の含有率が９５質量％以下であれば、重合体（Ｂ）の配合量を低くすることができる。これにより、熱可塑性樹脂（Ａ）との相溶性の制御が容易になり、熱可塑性樹脂組成物の耐衝撃性及び耐熱性の発現が良好となる。
重合体（Ｂ）中の、その他の単量体単位の含有率は８０質量％以下が好ましい。
【００２１】
重合体（Ｂ）の形状としては、取扱い性や、熱可塑性樹脂（Ａ）との配合性の観点から、球状粒子であることが好ましい。
重合体（Ｂ）の重合方法としては、塊状重合、溶液重合、懸濁重合、乳化重合等、公知の重合方法が適用可能である。この中では、容易に球状粒子の重合体を得ることができるため、懸濁重合が好ましい。
【００２２】
重合体（Ｂ）の重合に用いる重合開始剤としては、例えば、２，２’−アゾビスイソブチロニトリル、２，２’−アゾビス（２−メチルブチロニトリル）、２，２’−アゾビス（２，４−ジメチルバレロニトリル）等のアゾ化合物；ベンゾイルパーオキサイド、ラウロイルパーオキサイド、ｔ−ブチルパーオキシ−２−エチルヘキサノエート、ｔ−ヘキシルパーオキシ−２−エチルヘキサノエート、１，１，３，３−テトラメチルブチルパーオキシ−２−エチルヘキサノエート、ｔ−ヘキシルハイドロパーオキサイド等の有機過酸化物；過酸化水素、過硫酸ナトリウム、過硫酸アンモニウム等の無機過酸化物が挙げられる。
これらの中では、２，２’−アゾビス（２，４−ジメチルバレロニトリル）が好ましい。
【００２３】
重合体（Ｂ）の重合では、必要に応じて、連鎖移動剤を用いることができる。
連鎖移動剤としては、例えば、ｎ−ドデシルメルカプタン等のメルカプタン類；チオグリコール酸オクチル等のチオグリコール酸エステル類；α−メチルスチレンダイマーが挙げられる。これらの中では、ｎ−ドデシルメルカプタンが好ましい。
【００２４】
重合体（Ｂ）の懸濁重合に用いる分散剤としては、例えば、燐酸カルシウム、炭酸カルシウム、水酸化アルミニウム、澱粉末シリカ等の水難溶性無機化合物；ポリビニルアルコ−ル、ポリエチレンオキサイド、セルロ−ス誘導体等のノニオン系高分子化合物；ポリ（メタ）アクリル酸アルカリ金属塩、（メタ）アクリル酸とメチル（メタ）アクリレートの共重合物のアルカリ金属塩、（メタ）アクリル酸アルカリ金属塩とメチル（メタ）アクリレートと（メタ）アクリル酸スルホン酸エステルアルカリ金属塩の共重合物等のアニオン系高分子化合が挙げられる。
これらの中では、（メタ）アクリル酸アルカリ金属塩とメチル（メタ）アクリレートと（メタ）アクリル酸スルホン酸エステルアルカリ金属塩の共重合物が好ましい。
【００２５】
本発明のグラフト共重合体（Ｃ）は、ゴム質重合体の存在下でビニル単量体を重合して得られる。
ゴム質重合体としては、ブタジエン系ゴム質重合体、シリコーン系ゴム質重合体、アクリル系ゴム質重合体を用いることができる。これらのゴム質重合体は、乳化重合によって得ることが好ましい。
【００２６】
ブタジエン系ゴム質重合体としては、１，３−ブタジエン５０〜１００質量％と、１，３−ブタジエンと共重合可能な１種以上のビニル単量体０〜５０質量％を重合して得られるものが好ましい。このような、ブタジエン系ゴム質重合体を用いることにより、得られるグラフト共重合体を配合した熱可塑性樹脂組成物の耐衝撃性を向上させることができる。
１，３−ブタジエンと共重合可能なビニル単量体としては、例えば、スチレン、α−メチルスチレン等の芳香族ビニル単量体；メチル（メタ）アクリレート、エチル（メタ）アクリレート等のアルキル（メタ）アクリレート；（メタ）アクリロニトリルが挙げられる。これらは、１種を単独で用いてもよく、２種以上を併用してもよい。
【００２７】
さらに、ジビニルベンゼン、ジビニルトルエン等の多官能芳香族ビニル単量体；エチレングリコールジ（メタ）アクリレート、１，３−ブタンジオールジ（メタ）アクリレート等の多価アルコールのポリ（メタ）アクリレート；（メタ）アクリル酸アリルを併用することもできる。
【００２８】
シリコーン系ゴム質重合体としては、ポリオルガノシロキサンゴムと、ポリオルガノシロキサンゴムとアクリルゴムを複合化したシリコーン／アクリル系複合ゴムが挙げられるが、得られるグラフト共重合体を配合した熱可塑性樹脂組成物の耐衝撃性を向上させることから、シリコーン／アクリル系複合ゴムを用いることが好ましい。
シリコーン／アクリル系複合ゴムは、ポリオルガノシロキサンゴム成分が１〜９９質量％、アクリルゴム成分が９９〜１質量％（両成分の合計が１００質量％）であることが好ましい。
【００２９】
シリコーン／アクリル系複合ゴムの製造方法としては、乳化重合によって、まずポリオルガノシロキサンゴムのラテックスを調製し、次いで、アクリルゴムを構成する単量体をポリオルガノシロキサンゴムのラテックス粒子に含浸させてから、これを重合する方法が好ましい。
アクリルゴムを構成する単量体としては、例えば、メチル（メタ）アクリレート、エチル（メタ）アクリレート、プロピル（メタ）アクリレート、ブチル（メタ）アクリレート、２−エチルヘキシル（メタ）アクリレート等のアルキル（メタ）アクリレートが挙げられる。
【００３０】
アクリル系ゴム質重合体としては、（メタ）アクリレート、又は、（メタ）アクリレートを主成分とする混合物を重合して得られるものが好ましい。
（メタ）アクリレートとしては、例えば、メチル（メタ）アクリレート、エチル（メタ）アクリレート、プロピル（メタ）アクリレート、ブチル（メタ）アクリレート、２−エチルヘキシル（メタ）アクリレート、オクチル（メタ）アクリレート、トリデシル（メタ）アクリレート、エトキシエトキシエチル（メタ）アクリレート、メトキシトリプロピレングリコール（メタ）アクリレート、４−ヒドロキシブチル（メタ）アクリレート、ラウリルアクリレート、ラウリルメタクリレート、ステアリルメタクリレートが挙げられる。これらは１種を単独で用いてもよく、２種以上を併用してもよい。
【００３１】
アクリル系ゴム質重合体は、Ｔｇが０℃以下であることが、得られるグラフト共重合体を配合した熱可塑性樹脂組成物の耐衝撃性を向上させることから好ましい。Ｔｇが０℃以下であるアクリルゴム質重合体を得るには、（メタ）アクリレートとして、ｎ−ブチルアクリレート、２−エチルヘキシルアクリレート、オクチルアクリレート、ラウリル（メタ）アクリレート、トリデシル（メタ）アクリレートを用いることが好ましい。
アクリル系ゴム質重合体は、単量体の１種以上を重合させて得た（共）重合体であってもよい。また、２種以上のアクリル系ゴム質重合体を複合させた、アクリル系複合ゴムであってもよい。アクリル系複合ゴムを用いた場合には、低温衝撃強度において高い効果を発現させることができる。
【００３２】
以上説明したゴム質重合体の存在下でビニル単量体を重合することにより、グラフト共重合体（Ｃ）を得ることができる。
ゴム質重合体の存在下で重合するビニル単量体としては、例えば、スチレン、α−メチルスチレン、ビニルトルエン等の芳香族ビニル単量体；メチル（メタ）アクリレート、エチル（メタ）アクリレート、ｎ−ブチル（メタ）アクリレート等のアルキル（メタ）アクリレート；（メタ）アクリロニトリルが挙げられる。これらは、１種を単独で用いてもよく、２種以上を併用してもよい。
さらに、エチレングリコールジ（メタ）アクリレート、プロピレングリコールジ（メタ）アクリレート、ジビニルベンゼン、多官能メタクリル基変性シリコーン等の、分子中に２個以上の不飽和結合を有するビニル単量体を併用することもできる。
【００３３】
本発明の熱可塑性樹脂組成物は、（Ａ１）と（Ａ２）の合計１００質量部に対して、重合体（Ｂ）０．０１〜３０質量部を含有する。また、本発明の熱可塑性樹脂組成物は、（Ａ１）と（Ａ２）の合計１００質量部に対して、グラフト共重合体（Ｃ）１〜２５質量部を含有する。
【００３４】
熱可塑性樹脂組成物中の重合体（Ｂ）の含有量が、（Ａ１）と（Ａ２）の合計１００質量部に対して０．０１質量部以上であれば、耐衝撃性及び耐熱性が十分に発現し、３０質量部以下であれば、外観の良好な成形体を得ることができる。
熱可塑性樹脂組成物中の重合体（Ｂ）の含有量は、（Ａ１）と（Ａ２）の合計１００質量部に対して０．０５質量部以上が好ましく、また、２０質量部以下が好ましく、１０質量部以下がより好ましい。
【００３５】
熱可塑性樹脂組成物中の重合体（Ｃ）の含有量が、（Ａ１）と（Ａ２）の合計１００質量部に対して１質量部以上であれば、成形体の耐衝撃性を向上させることができ、２５質量部以下であれば、成形体の耐熱性を損なうことがない。
熱可塑性樹脂組成物中の重合体（Ｃ）の含有量は、（Ａ１）と（Ａ２）の合計１００質量部に対して５質量部以上が好ましく、１５質量部以下が好ましい。
【００３６】
本発明の熱可塑性脂組成物には、必要に応じて、その他の熱可塑性樹脂、難燃剤、安定剤、滑剤、充填剤、顔料、発泡剤等の各種添加剤を添加することができる。
また、加工性の向上及び／又は難燃性付与の点から、ポリテトラフルオロエチレンを添加してもよい。ポリテトラフルオロエチレンと有機系重合体とからなる、ポリテトラフルオロエチレン含有混合粉体として用いることが好ましい。
【００３７】
その他の熱可塑性樹脂としては、例えば、アクリル樹脂；ＡＢＳ樹脂；ポリエチレン、ポリプロピレン等のポリオレフィン樹脂；メチルメタクリレート−スチレン樹脂；ポリエチレンテレフタレート、ポリブチレンテレフタレート等のポリエステル樹脂；ポリアミド樹脂；ポリ塩化ビニル、ポリ塩素化塩化ビニル等の塩素系樹脂が挙げられる。
【００３８】
難燃剤としては、ハロゲン系難燃剤、燐酸系難燃剤、シリコーン系難燃剤を用いると、成形体の耐衝撃性等を損なうことなく、高い難燃性を発現することができるので好ましい。難燃剤としては、例えば、含ハロゲン燐酸エステル化合物、含ハロゲン縮合燐酸エステル化合物、塩素化パラフィン、臭素化芳香族トリアジン、臭素化フェニルアルキルエーテル、燐酸エステル化合物、亜燐酸エステル化合物、縮合リン酸エステル化合物が挙げられる。
【００３９】
安定剤としては、金属系安定剤、その他の安定剤が挙げられる。
金属系安定剤としては、例えば、三塩基性硫酸鉛等の鉛系安定剤；カリウム等の金属と、２−エチルヘキサン酸等の脂肪酸から誘導される金属石鹸系安定剤；有機錫系安定剤；Ｃａ−Ｚｎ系等の複合金属石鹸系安定剤が挙げられる。
その他の安定剤としては、例えば、エポキシ化合物；有機亜燐酸エステル；２，４−ジ−ｔ−ブチル−３−ヒドロキシトルエン（ＢＨＴ）等のヒンダードフェノール；サリチル酸エステル等の紫外線吸収剤；ヒンダードアミン等の光安定剤；カーボンブラック等の紫外線遮蔽剤；トリメチロールプロパン等の多価アルコール；β−アミノクロトン酸エステル等の含窒素化合物；ジアルキルチオジプロピオン酸エステル等の含硫黄化合物；アセト酢酸エステル等のケト化合物；有機珪素化合物；硼酸エステルが挙げられる。
これら安定剤は、１種を単独で用いてもよく、２種以上を併用してもよい。
【００４０】
滑剤としては、例えば、流動パラフィン等の炭化水素；高級脂肪酸等の脂肪酸；脂肪酸アミド；グリセリド等の脂肪酸の多価アルコールエステル；脂肪酸の脂肪アルコールエステル（エステルワックス）；金属石鹸；脂肪アルコール；多価アルコール；ポリグリコール；ポリグリセロール；脂肪酸と多価アルコールの部分エステル、脂肪酸とポリグリコールの部分エステル等のエステル；（メタ）アクリレート系共重合体が挙げられる。
【００４１】
充填剤としては、例えば、重質炭酸カルシウム等の炭酸塩；酸化チタン、クレー、タルク、マイカ、シリカ、カーボンブラック、グラファイト、硝子ビーズ、硝子繊維、炭素繊維、金属繊維等の無機質系の充填剤；ポリアミド等の有機繊維；シリコーン等の有機質系の充填剤；木粉等の天然有機物が挙げられる。
【００４２】
本発明の熱可塑性樹脂組成物は、熱可塑性樹脂（Ａ）、重合体（Ｂ）、グラフト共重合体（Ｃ）、及び、必要に応じて、その他の熱可塑性樹脂及び／又は各種添加剤を、ミルロール、バンバリーミキサー、スーパーミキサー、単軸あるいは二軸押出機等を用いて配合又は混練することによって得ることができる。
上記のようにして混合又は混練された熱可塑性樹脂組成物を、インジェクション法、溶融押出法、カレンダー法等の成形方法により成形することにより、射出成形品、シート、フィルム、異形材等の成形体を得ることができる。
【実施例】
【００４３】
以下、本発明を実施例、及び比較例により具体的に説明するが、本発明はこれら実施例に限定されるものではない。実施例中の「部」及び「％」は、「質量部」及び「質量％」をそれぞれ表す。
また、重合体（Ｂ）について以下の測定を実施した。
【００４４】
＜エポキシ当量の測定＞
（１）１００ｍｌメスフラスコに塩酸２ｇを入れ、エタノール／ジオキサン＝２０／８０溶液でメスアップする。（Ａ液）
（２）１００ｍｌ共栓付き三角フラスコに試料０．１５〜０．２０ｇを精秤する。ジオキサン２０ｍｌを加え、超音波洗浄器を用いて超音波を１時間程度照射し、試料を溶解する。溶解時の液温は、４０℃程度が好ましい。
（３）試料が溶解した後、三角フラスコ内にＡ液を１０ｍｌ加える。
（４）Ａ液添加後の試料溶液を、フェノールフタレインを指示薬として、０．１ｍｏｌ／ｌ−ＫＯＨ（エタノール）で滴定する。
（５）ブランク液の滴定も同時に行なう。
（６）試料量、試料溶液及びブランク液の適定量から、重合体（Ｂ）のエポキシ当量を算出した。
【００４５】
＜質量平均分子量の測定＞
ゲル浸透クロマトグラフィーを用いて、分子量既知のポリメチルメタクリレートによる検量線から求めた。
カラム    ：ＴＳＫ−Ｇｅｌ  ＳＵＰＥＲ  ＨＺＭ−Ｍ（東ソー（株）製）
測定温度  ：４０℃
溶離液    ：ＴＨＦ
溶離液速度：０．６ｍｌ／分
検出器    ：ＲＩ
【００４６】
＜粒子径の測定＞
試料を脱イオン水で希釈し、レーザー回折／散乱式粒度分布測定装置（ＬＡ−９２０：（株）堀場製作所製）を用い、５０％体積平均粒子径を測定した。
【００４７】
（製造例１）  重合体（Ｂ−１）の製造
温度計、窒素導入管、還流冷却器、攪拌装置を備え、加温及び冷却が可能な重合装置中に、脱イオン水２００部、（メタ）アクリル酸とメチル（メタ）アクリレートの共重合物のアルカリ金属塩０．０１部を投入し、撹拌して、分散剤の水溶液を得た。
撹拌を停止してから、グリシジルメタクリレート１００部を投入した後、攪拌を再度開始した。重合装置内を窒素置換した後に、２，２’−アゾビス（２，４−ジメチルバレロニトリル）１．０部、ｎ−ドデシルメルカプタン１．５部を添加し、７５℃に加温して反応温度を７５〜８０℃に維持しながら２時間反応させ、次いで９５℃に昇温して１時間反応させ、重合体（Ｂ−１）のスラリーを得た。
【００４８】
重合体（Ｂ−１）のスラリーを、目開き３０μｍのメッシュで濾過し、脱水及び乾燥させて、重合体（Ｂ−１）を得た。
重合体（Ｂ−１）のＴｇ（計算値）は４６℃であり、質量平均分子量は４１，０００であった。重合体（Ｂ−１）の特性値を表１に示す。
【００４９】
（製造例２〜４）  重合体（Ｂ−２）〜（Ｂ−４）の製造
各単量体を表１に示す比率で用いた以外は、製造例１と同様にして、重合体（Ｂ−２）〜（Ｂ−４）を得た。重合体（Ｂ−２）〜（Ｂ−４）の特性値を表１に示す。
【００５０】
（製造例５）  重合体（Ｂ’−５）の製造
各単量体を表１に示す比率で用いた以外は、製造例１と同様にして、重合体（Ｂ’−５）を得た。重合体（Ｂ’−５）の特性値を表１に示す。
【００５１】
【表１】
2008285663.tif 000002
【００５２】
（実施例１〜１３）、（比較例１〜１２）
製造例１〜５で得られた重合体（Ｂ−１）〜（Ｂ’−５）を、表２〜６に示す比率で配合した。
重合体（Ｂ−１）〜（Ｂ’−５）以外の成分については、以下のものを用いた。
ポリ乳酸（ＰＬＡ）
ＬＡＣＥＡ  Ｈ１００、三井化学（株）製（ＭＦＲ＝９ｇ／１０分（１９０℃））
ポリカーボネート樹脂（ＰＣ）
タフロン＃１９００、出光興産（株）製
ポリブチレンテレフタレート（ＰＢＴ）
ジュラネックス２００２、ポリプラスチックス（株）製
【００５３】
グラフト共重合体（Ｃ）
Ｓ２００６    メタブレンＳ−２００６、三菱レイヨン（株）製
（シリコーン／アクリル系複合ゴムグラフト共重合体）
Ｃ２２３Ａ    メタブレンＣ−２２３Ａ、三菱レイヨン（株）製
（ブタジエン系ゴムグラフト共重合体）
ＫＳ５５４５  メタブレンＫＳ−５５４５、三菱レイヨン（株）製
（グリシジル（メタ）アクリレート単位をグラフト部に含有するシリコーン／アクリル系複合ゴムグラフト共重合体）
【００５４】
その他
ＢＦ−Ｅ      ボンドファースト−Ｅ、住友化学（株）製
（グリシジル（メタ）アクリレート単位を含有する特殊エチレン系共重合体、Ｔｇ：−２６℃）
【００５５】
配合物を、内径３０ｍｍ、Ｌ（シリンダ有効長さ）／Ｄ（口径）＝２８．５の二軸押出機に供給し、２３０℃で溶融混練して、熱可塑性樹脂組成物のペレットを得た。
尚、比較例１１及び１２（ＰＣ／ＰＢＴ系）については、２５０℃で溶融混練を行なった。
【００５６】
得られた熱可塑性樹脂組成物を用いて、以下の評価を行なった。評価結果を表２〜６に示す。
【００５７】
（１）耐衝撃性（アイゾット衝撃強度）
得られた熱可塑性樹脂組成物のペレットを、射出成形機（ＨＤＵ−１００：住友重機工業（株）製）を用いて、２３０℃で射出成形して成形体を得た。得られた成形体から、幅１２．７ｍｍ×厚さ４ｍｍ×長さ６４．５ｍｍのモールドノッチ試験片を作成し、ＪＩＳ  Ｋ−７１１０に準じて、２３℃でアイゾット衝撃強度を測定した。
尚、比較例１１及び１２（ＰＣ／ＰＢＴ系）については、２５０℃で射出成形を行なった。
【００５８】
（２）曲げ特性（曲げ弾性率、曲げ強度）
（１）に記載の方法により、成形体を得た。得られた成形体から、幅１０ｍｍ×厚さ４ｍｍ×長さ１２．７ｍｍの試験片を作成し、ＪＩＳ  Ｋ−７１７１に準じて、２３℃で曲げ特性を評価した。
【００５９】
（３）荷重たわみ温度（ＨＤＴ）
（１）に記載の方法により、成形体を得た。得られた成形体から、幅１０ｍｍ×厚さ４ｍｍ×長さ１２．７ｍｍの試験片を作成し、ＩＳＯ７５に準じて荷重０．４５ＭＰａの条件で測定した。
【００６０】
（４）溶融流動性（ＭＩ）
熱可塑性樹脂組成物のペレットを、降下式フローテスター（（株）東洋精機製作所製）を用い、荷重３．８ＫｇｆでのＭＩ値を測定した。測定温度は２３０℃、及び２５０℃で実施した。
３０秒間に流出する樹脂を採取し、その重量を測定して１０分当たりの流出量を算出した。３回測定して、その平均値を測定値とした。
【００６１】
（５）溶融張力（メルトテンション）
熱可塑性樹脂組成物のペレットを、降下式フローテスター（ロザンド社製フローマスター）を用い、測定温度２３０℃において、一定押出量（剪断速度３．３５／秒）で押出し、ストランドを一定速度（７、９、１２ｍ／分）で引き取り、溶融張力を測定した。
ダイスのＬ／Ｄは１６ｍｍ／１ｍｍとした。（単位：ｇ）
尚、比較例１１及び１２（ＰＣ／ＰＢＴ系）については、２５０℃で測定した。
【００６２】
（６）溶融粘度
熱可塑性樹脂組成物のペレットについて、降下式フローテスター（ロザンド社製フローマスター）を用い、測定温度２３０℃において、溶融粘度を測定した。
ダイスのＬ／Ｄは１６ｍｍ／１ｍｍとした。シェアレート６００／Ｓの値を示した。（単位：Ｐａ・ｓ）
尚、比較例１１及び１２（ＰＣ／ＰＢＴ系）については、２５０℃で測定した。
【００６３】
【表２】
2008285663.tif 000003
【００６４】
表２で明らかなように、重合体（Ｂ−１）を配合した実施例１〜４は、重合体（Ｂ）を配合していない比較例１に対して、耐衝撃性（アイゾット衝撃強度）及び耐熱性（荷重たわみ温度）が向上することが確認された。
【００６５】
【表３】
2008285663.tif 000004
【００６６】
表３で明らかなように、重合体（Ｂ−１）、（Ｂ−３）又は（Ｂ−４）を配合した実施例３、５及び６は、グリシジル（メタ）アクリレート単位を含有しない重合体（Ｂ’−５）を配合した比較例２に対して、耐衝撃性及び耐熱性が向上することが確認された。
【００６７】
【表４】
2008285663.tif 000005
【００６８】
表４で明らかなように、グラフト共重合体（Ｃ）としてＳ２００６を３〜２０部配合した実施例３及び７〜９は、グラフト共重合体（Ｃ）を配合していない比較例３に対して、耐衝撃性が向上することが確認された。
また、グラフト共重合体（Ｃ）としてＳ２００６を３０部配合した比較例４では、耐衝撃性、曲げ特性及び耐熱性が低下する傾向が見られた。
【００６９】
【表５】
2008285663.tif 000006
【００７０】
ＫＳ５５４５は、グリシジル（メタ）アクリレート単位を含有するシリコーン／アクリル系複合ゴムグラフト共重合体である。これを、グリシジル（メタ）アクリレート単位を含有する重合体と、シリコーン／アクリル系複合ゴムグラフト共重合体に分割した場合、ＫＳ５５４５  １０部は、重合体（Ｂ−１）０．３部とＳ２００６  ９．７部に相当する。
表５で明らかなように、重合体（Ｂ−１）０．３部とＳ２００６  ９．７部を配合した実施例１１は、ＫＳ５５４５  １０部を配合した比較例５に対して、耐衝撃性、曲げ特性及び耐熱性が同程度であり、ＭＩが向上した。
【００７１】
ＢＦ−Ｅは、グリシジル（メタ）アクリレート単位を含有する特殊エチレン系共重合体であり、グリシジル（メタ）アクリレート単位の含有率は１２％、Ｔｇは−２６℃である。ＢＦ−Ｅ  ８．３部が有するグリシジル（メタ）アクリレート単位の量は、重合体（Ｂ−１）１部に相当する。
ＢＦ−Ｅ  ８．３部を配合した比較例６は、曲げ特性及び耐熱性が低下した。
【００７２】
【表６】
2008285663.tif 000007
【００７３】
表６で明らかなように、熱可塑性樹脂（Ａ）としてＰＬＡ／ＰＣ＝２５／７５を用いた実施例１２では、同じ樹脂組成で重合体（Ｂ）を配合していない比較例８に対して、０℃での耐衝撃性が向上することが確認された。
熱可塑性樹脂（Ａ）としてＰＬＡ／ＰＣ＝７５／２５を用いた実施例１３では、同じ樹脂組成で重合体（Ｂ）を配合していない比較例９に対して、耐衝撃性が向上することが確認された。
【００７４】
熱可塑性樹脂（Ａ）としてＰＬＡ＝１００を用いた比較例１０では、耐衝撃性が低かった。
熱可塑性樹脂（Ａ）としてＰＣ／ＰＢＴ＝５０／５０を用いた比較例１２は、比較例１１に重合体（Ｂ）を配合した組成であるが、耐衝撃性又は耐熱性の向上は確認されなかった。
【産業上の利用可能性】
【００７５】
本発明の熱可塑性樹脂組成物は、脂肪族ポリエステル樹脂及び芳香族ポリカーボネート樹脂を含有する熱可塑性樹脂の、耐衝撃性及び耐熱性を向上させる。本発明の成形体は、耐衝撃性及び耐熱性に優れることから、各種用途に好適に利用でき、工業的に極めて有用である。